【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
第１の繊維ポリマー足場材を含む組成物であって、前記第１の繊維ポリマー足場材の繊維が整列されている、組成物。
【請求項２】
前記組成物が、シート、導管、充填導管および棒から選択される一つの形状を有する、請求項１に記載の組成物。
【請求項３】
前記第１の繊維ポリマー足場材が、長手方向および円周方向から選択される一つの方向に本質的に整列されている、請求項１又は２に記載の組成物。
【請求項４】
前記第１の繊維ポリマー足場材がシームレスである、請求項１乃至３のいずれか１項に記載の組成物。
【請求項５】
前記第１の繊維ポリマー足場材がモノリシックに形成されている、請求項１乃至３のいずれか１項に記載の組成物。
【請求項６】
前記第１の繊維ポリマー足場材の繊維のうちの少なくとも１本が、脂肪族ポリエステル、ポリアルキレンオキシド、ポリジメチルシロキサン、ポリカプロラクトン、ポリリシン、コラーゲン、ラミニン、フィブロネクチン、エラスチン、アルギン酸塩、フィブリン、ヒアルロン酸、プロテオグリカン、ポリペプチドおよびこれらの組み合わせから選択される一つであるポリマーまたはサブユニットを含む、請求項１乃至５のいずれか１項に記載の組成物。
【請求項７】
前記脂肪族ポリエステルが、乳酸（Ｄ−またはＬ−）、ラクチド、ポリ（乳酸）、ポリ（ラクチド）グリコール酸、ポリ（グリコール酸）、ポリ（グリコリド）、グリコリド、ポリ（ラクチド−ｃｏ−グリコリド）、ポリ（乳酸−ｃｏ−グリコール酸）およびこれらの組み合わせから選択される一つである、請求項６に記載の組成物。
【請求項８】
前記第１の繊維ポリマー足場材の繊維のうちの少なくとも１本が、ポリ（ラクチド−ｃｏ−グリコリド）（ＰＬＧＡ）を含む、請求項１乃至５のいずれか１項に記載の組成物。
【請求項９】
前記ポリアルキレンオキシドが、ポリエチレンオキシド、ポリ酸化プロピレンおよびこれらの組み合わせから選択される一つである、請求項６に記載の組成物。
【請求項１０】
細胞をさらに含み、前記細胞が、前記第１の繊維ポリマー足場材の中に包埋されているか、またはその表面にある、請求項１乃至９のいずれか１項に記載の組成物。
【請求項１１】
前記細胞が、幹細胞および前駆細胞から選択される一つである、請求項１０に記載の組成物。
【請求項１２】
前記細胞が、成体血管細胞、血管前駆細胞、血管幹細胞、成体筋肉細胞、筋肉前駆細胞、筋幹細胞、成体神経細胞、神経前駆細胞、神経幹細胞、シュワン細胞、線維芽細胞、成体皮膚細胞、皮膚前駆細胞および皮膚幹細胞から選択される一つである、請求項１０に記載の組成物。
【請求項１３】
直接にまたはリンカーを介して、前記第１の繊維ポリマー足場材に共有結合的に結合された分子をさらに含み、前記分子が、細胞外マトリクス成分、成長因子、分化因子およびこれらの組み合わせから選択される一つに、共有結合的または非共有結合的に結合できるものである、請求項１乃至１２のいずれか１項に記載の組成物。
【請求項１４】
前記分子がリンカーを介して共有結合的に結合され、前記リンカーが、ジアミノポリ（エチレングリコール）、ポリ（エチレングリコール）およびこれらの組み合わせから選択される一つである、請求項１３に記載の組成物。
【請求項１５】
前記分子が、ヘパリン、ヘパラン硫酸、ヘパラン硫酸プロテオグリカンおよびこれらの組み合わせから選択される一つである、請求項１３又は１４に記載の組成物。
【請求項１６】
前記細胞外マトリクス成分が、ラミニン、コラーゲン、フィブロネクチン、エラスチン、ビトロネクチン、フィブリノゲン、ポリリシンおよびこれらの組み合わせから選択される一つである、請求項１３又は１４に記載の組成物。
【請求項１７】
前記成長因子が、酸性線維芽細胞成長因子、塩基性線維芽細胞成長因子、神経成長因子、脳由来神経栄養因子、インスリン様成長因子、血小板由来成長因子、形質転換成長因子β、血管内皮成長因子、上皮成長因子、ケラチノサイト成長因子およびこれらの組み合わせから選択される一つである、請求項１３又は１４に記載の組成物。
【請求項１８】
前記分化因子が、ストロマ細胞由来因子、ソニックヘッジホッグ、骨形成タンパク質、ノッチリガンド、Ｗｎｔおよびこれらの組み合わせから選択される一つである、請求項１３又は１４に記載の組成物。
【請求項１９】
ポリマーを含むポリマー溶液を回転式のマンドレルに塗布することで生成される、請求項１に記載の組成物。
【請求項２０】
前記ポリマー足場材が、シート、導管または充填導管の形状を有し、少なくとも１つの非電導性領域を有する回転式のマンドレルを備える電界紡糸工程で生成される、請求項１に記載の組成物。
【請求項２１】
（ａ）請求項１乃至２０のいずれか１項の前記組成物と、
（ｂ）薬学的に許容される賦形剤と、
を含む、薬品組成物。
【請求項２２】
前記第１の繊維ポリマー足場材を囲むスリーブをさらに含む、請求項１乃至２０のいずれか１項に記載の組成物。
【請求項２３】
前記スリーブが第２の繊維ポリマー足場材を含み、前記第２の繊維ポリマー足場材が整列されているかランダム配向を有する、請求項２２に記載の組成物。
【請求項２４】
第１の導電性領域と、
第２の導電性領域と、
前記第１の導電性領域と前記第２の導電性領域との間に延在する非導電性領域と、
を含み、
前記非導電性領域が、第１の繊維ポリマー足場材を形成するための繊維ポリマーを受け入れられる寸法および形状である、電界紡糸装置用マンドレル。
【請求項２５】
前記非導電性領域が、前記マンドレルの周囲に配置されたスリーブである、請求項２４に記載のマンドレル。
【請求項２６】
前記非導電性領域が、テープ、絶縁用テープ、テフロン（登録商標）およびプラスチックから選択される一つである、請求項２５に記載のマンドレル。
【請求項２７】
前記非導電性領域が、前記２つの電導性マンドレル領域を相互接続する、請求項２４に記載のマンドレル。
【請求項２８】
前記非導電性領域が、前記２つの電導性マンドレル領域間に延在する別個の部分である、請求項２４に記載のマンドレル。
【請求項２９】
前記非導電性領域が、前記導電性領域よりも大きい直径と小さい直径とからから選択される一つである直径を有する、請求項２４、２７、及び２８のいずれか１項に記載のマンドレル。
【請求項３０】
前記第１の導電性部分の少なくとも一部の上に配置された第１の非導電性スリーブと、
前記第２の導電性部分の少なくとも一部の上に配置された第２の非導電性スリーブと、
をさらに備える、請求項２４に記載のマンドレル。
【請求項３１】
前記第１の繊維ポリマー足場材の前記繊維が、長手方向に本質的に整列されている、請求項１に記載の組成物。
【請求項３２】
前記第１の繊維ポリマー足場材の前記繊維が、約１０ナノメートル乃至約１，０００ナノメートル、約０．５ナノメートル乃至約１００ナノメートル、約０．５ナノメートル乃至約５０ナノメートル、約１ナノメートル乃至約３５ナノメートル、約２ナノメートル乃至約２５ナノメートル、約９０ナノメートル乃至約１，０００ナノメートル、及び約５００ナノメートル乃至約１，０００ナノメートルから選択されるいずれかの平均直径を有する、請求項１に記載の組成物。
【請求項３３】
第１の繊維ポリマー足場材を有する組成物の製造方法であって、
ポリマー繊維を電界紡糸工程にかけることを含み、
そこで、前記繊維が、繊維ポリマー足場材を形成するために前記繊維を受け入れるよう配置され構成された基板に向けられ、
前記繊維ポリマー足場材の長手方向に整列された繊維を直接に電界紡糸することを含む、方法。